(57)【要約】【課題】  半導体発光素子を光源とし、その放射光が口金側にも照射される低コスト化が可能な発光装置およびこの発光装置を具備する照明器具を提供する。【解決手段】  発光装置１は、基板６の一面６ａ側に実装された半導体発光素子７を有する発光体２と、一端側３ａに発光体２が取り付けられ、他端側３ｂに口金２３を有する外郭部材３と、外郭部材３に収容され、口金２３を介して給電されて動作し、半導体発光素子７を点灯する点灯装置４と、透光性を有する材料で一端側５ａが閉塞され他端側５ｂが開口されるように形成され、発光体２を覆うようにかつ導光される発光体２の放射光が開口の周縁の端面５ｃから外郭部材３の外面３ｄ側に照射されるように他端側５ｂが外郭部材３の一端側３ａに取り付けられた包囲体５とを具備している。【選択図】図４
2012114018.tif 000002
【特許請求の範囲】
【請求項１】
基板の一面側に実装された半導体発光素子を有する発光体と；
一端側に前記発光体が取り付けられ、他端側に口金を有する外郭部材と；
この外郭部材に収容され、前記口金を介して給電されて動作し、前記半導体発光素子を点灯する点灯装置と；
透光性を有する材料で一端側が閉塞され他端側が開口されるように形成され、前記発光体を覆うようにかつ導光される前記発光体の放射光が前記開口の周縁の端面から前記外郭部材の外面側に照射されるように前記他端側が前記外郭部材の一端側に取り付けられた包囲体と；
を具備していることを特徴とする発光装置。
【請求項２】
前記外殻部材は、その外面に一端側から他端側の方向に沿うとともにその周方向に略等間隔で放射状に突出形成された複数個の凸部を有し、前記包囲体は、前記開口の周縁の端面が前記凸部の間に露出するように前記外郭部材に取り付けられていることを特徴とする請求項１記載の発光装置。
【請求項３】
請求項１または２記載の発光装置と；
この発光装置の口金が接続されるソケットを有する器具本体と；
を具備していることを特徴とする照明器具。
【発明の詳細な説明】
【技術分野】
【０００１】
本発明の一実施形態は、半導体発光素子を光源とし、半導体発光素子の放射光を照明に利用する発光装置およびこの発光装置を具備する照明器具に関する。
【背景技術】
【０００２】
近年、地球温暖化や環境保全等に対する一対策として、消費電力が小さく、長寿命であるＬＥＤ電球が一般白熱電球や電球形蛍光ランプに替えて使用されている。しかしながら、ＬＥＤ電球は、そのＬＥＤの指向性により、その側方側の照射が制限され、特に後方側への照射がなされないという欠点がある。ＬＥＤ電球の側方側や後方側に光照射がないと、ＬＥＤ電球が眩しく感じられたり、ＬＥＤ電球を取り付けている照明器具の開口全体が光っているようには見えず、人に違和感や不快感などを与えることがある。
【０００３】
ＬＥＤ電球の指向性の欠点を解消するものとして、例えば、ＬＥＤの放射光を棒状の導光体に入射させて、導光体の先端および側面から出射させるものが提案されている（例えば特許文献１、２、３参照。）。すなわち、特許文献１の光源装置においては、導光体の先端をほぼ平坦の反射面に形成し、入射光のほぼ全量を全反射させ、一部を透過させて、一般照明用電球と同様に口金側にも光を照射させている。
【０００４】
また、特許文献２の電球は、導光棒（導光体）の先端からカバーの貫通孔を介して外部に光を出射し、導光棒の周縁から複数のスリットを介して外部に光を出射し、ＬＥＤの光を多方向性に出射している。また、特許文献３の電球は、導光体の先端をボール形状に形成し、そのボール形状の表面で発光ダイオードの光を異なる角度に屈折させて、外部に照射する照射角度を増加させている。
【先行技術文献】
【特許文献】
【０００５】
【特許文献１】特開２００９−２８９６９７号公報（第５頁、第１図）
【特許文献２】実用新案登録第３１６１５４１号公報（第４頁、第３図）
【特許文献３】実用新案登録第３１４８９９７号公報（第４頁、第２図）
【発明の概要】
【発明が解決しようとする課題】
【０００６】
ＬＥＤ電球は、棒状の導光体を設けると、その導光体の組み立てなどが面倒であり、導光体の配設構造の分および導光体の部品の分、コストアップするという欠点を有する。
【０００７】
本発明は、半導体発光素子を光源とし、その放射光が口金側にも照射される低コスト化が可能な発光装置およびこの発光装置を具備する照明器具を提供することを目的とする。
【課題を解決するための手段】
【０００８】
本発明の一実施形態の発光装置は、発光体、外郭部材、点灯装置および包囲体を有して構成される。
【０００９】
実施形態の発光体は、基板の一面側に実装された半導体発光素子を有してなる。ここで、半導体発光素子は、発光ダイオード（ＬＥＤ）や有機エレクトロルミネッセンス（ＥＬ）素子などである。
【００１０】
実施形態の外郭部材は、その一端側に発光体が取り付けられ、その他端側に口金を有している。口金は、点灯装置の入力側に接続されて、点灯装置に外部電源を入力させるものであり、例えばＥ形やピン形によって形成される。
【００１１】
実施形態の点灯装置は、外郭部材に収容される。そして、点灯装置は、外郭部材の口金を介して給電されて動作し、半導体発光素子を点灯するように形成されている。
【００１２】
実施形態の包囲体は、透光性を有する材料からなり、一端側が閉塞され他端側が開口されるように形成されている。そして、発光体を覆うようにかつ導光される発光体の放射光が他端側の開口の周縁の端面から外郭部材の外面側に照射されるように他端側が外郭部材の一端側に取り付けられている。
【発明の効果】
【００１３】
本発明の実施形態によれば、透光性を有し、発光体を覆うとともに他端側の開口の周縁の端面から導光される発光体の放射光を外郭部材の外面側に出射する包囲体を具備しているので、棒状の導光体などを用いることなく、発光体を覆う包囲体で発光体の放射光を口金側に照射することができて、発光装置の小形化や低コスト化を図ることが期待できる。
【図面の簡単な説明】
【００１４】
【図１】本発明の実施例１を示す発光装置の概略側面図である。
【図２】同じく、発光装置の概略下面図である。
【図３】同じく、発光装置の概略斜視図である。
【図４】同じく、図２のＡ−Ａ矢視方向における発光装置の概略側断面図である。
【図５】同じく、発光装置の包囲体を取り外した状態の概略正面図である。
【図６】本発明の実施例２を示す照明器具の一部切り欠き概略側面図である。
【図７】本発明の実施例３を示す照明器具の一部切り欠き概略側面図である。
【発明を実施するための形態】
【００１５】
以下、本発明の一実施の形態について、図面を参照して説明する。
【実施例１】
【００１６】
本発明の一実施形態の発光装置１は、電球用ソケットに着脱されるＬＥＤ電球であり、図１ないし図５に示すように構成される。そして、図４に示すように、発光装置１は、発光体２、外郭部材３、点灯装置４および包囲体５を有して構成されている。
【００１７】
発光体２は、基板６、半導体発光素子としての複数個のＬＥＤチップ７および封止樹脂８を有して形成されている。基板６は、例えばアルミニウム（Ａｌ）の金属板からなり、外形が例えば正四角形に形成されている。ＬＥＤチップ７は、例えば青色光を発光するように形成され、ＣＯＢ（Chip  On  board）方式によって基板６に実装されている。
【００１８】
すなわち、発光体２は、複数個のＬＥＤチップ７が基板６の一面６ａ側に図示しない高熱伝導性を有する絶縁層を介してマトリックス状に実装され、ＬＥＤチップ７を包囲して例えばシリコーン樹脂からなる土手９が設けられている。そして、土手９内にＬＥＤチップ７を覆って封止する例えばシリコーン樹脂などの封止樹脂８が充填されている。封止樹脂８には、ＬＥＤチップ７からの青色光の一部により励起されて黄色光を放射する黄色蛍光体１０が混入されている。
【００１９】
基板６の一面６ａ側には、雌コネクタ１１が実装されている。この雌コネクタ１１は、図示しない配線パターンによりＬＥＤチップ７に電気接続されている。複数個のＬＥＤチップ７は、例えば列毎に、直列接続されている。発光体２は、封止樹脂８の表面が発光面となり、この発光面から青色光および黄色光が混合した白色光を放射する。
【００２０】
なお、基板６は、ガラスエポキシ材や紙フェノール材などの樹脂材で形成されてもよく、そのものが絶縁性を有するセラミック板などで形成してもよい。
【００２１】
外郭部材３は、高熱伝導率を有する金属材料例えばアルミニウム（Ａｌ）からなり、一端側３ａが他端側３ｂよりも大きい断面略Ｔ形の柱状体に形成されている。そして、外郭部材３は、その上面３ｃに発光体２の取付部１２を形成している。すなわち、取付部１２は、上面３ｃの周縁よりも包囲体５の取付け分を除く内側に環状壁１３が突出形成されていて、環状壁１３の内側の底面１２ａが発光体２の取付け面となっている。
【００２２】
また、外郭部材３は、他端側３ｂから一端側３ａに略円柱状の挿入孔１４が形成されている。この挿入孔１４の底面１４ａには、取付部１２の底面１２ａに貫通する貫通孔１５が形成されている。そして、取付部１２の底面１２ａには、貫通孔１５に連通する長方形状の凹部１６が形成されている。
【００２３】
また、外郭部材３は、その外面３ｄに一端側３ａから他端側３ｂの方向に沿った凸部としての複数個の放熱フィン１７が突出形成されている。この放熱フィン１７は、図１または図２に示すように、外郭部材３の周方向に略等間隔で放射状に形成されているとともに、他端側３ｂから一端側３ａへと径方向の突出量が大きくなるように傾斜して形成されている。ここで、放熱フィン１７は、その稜線１７ａが直線状に傾斜して形成されているが、その稜線１７ａが曲線状に傾斜するように形成されもよい。そして、外郭部材３は、取付部１２の環状壁１３の外側であって、放熱フィン１７，１７の間が切り欠きされている。外郭部材３は、例えばアルミダイキャストにより、上述のように成型されたものである。なお、外郭部材３は、熱伝導性の良好な樹脂またはセラミックなどで形成されてもよい。
【００２４】
図４において、取付部１２の底面１２ａには、絶縁紙１８を介して発光体２が取り付けられている。絶縁紙１８は、例えば電気絶縁性のシリコーン樹脂からなり、図５に示すように、基板６よりも幾分大きい正四角形に形成されている。基板６および絶縁紙１８のそれぞれの４隅側には、ねじ１９が挿通される図示しない孔が設けられている。４個のねじ１９が当該孔を挿通して、取付部１２の底面１２ａに設けられた図示しないねじ孔に螺着されている。これにより、発光体２は、取付部１２の底面１２ａの中央部に取り付けられている。こうして、外郭部材３は、その一端側３ａに発光体２が取り付けられている。
【００２５】
図４において、外郭部材３の挿入孔１４には、有底の略円筒状に形成された取付け体２０が挿入されて取り付けられている。取付け体２０は、例えばポリブチレンテレフタレート（ＰＢＴ）樹脂により挿入孔１４の壁面に密接する大きさに形成され、電気絶縁性を有する。そして、取付け体２０の一端側２０ａの底面２０ｃには、図示しない取付け孔が設けられており、この取付け孔に挿入された図示しないねじが挿入孔１４の底面１４ａに形成された図示しないねじ孔に螺着されている。これにより、取付け体２０は、外郭部材３に一体に取り付けられている。また、取付け体２０の底面２０ｃには、外郭部材３の貫通孔１５に連通する連通孔２１が設けられている。
【００２６】
また、取付け体２０は、その他端側２０ｂの外面２０ｄに凸条２２が螺旋状に形成されていて、この凸条２２に口金２３が螺合されている。口金２３は、取付け体２０の他端側２０ｂの外面２０ｄにかしめられて固定されている。
【００２７】
口金２３は、例えばＥ１７形の一般照明電球用のソケットに接続可能なものであり、凸条２２に螺合されてかしめられて固定されるシェル部２４、このシェル部２４の他端側に設けられる絶縁部２５およびこの絶縁部２５の頂部に設けられるアイレット部２６を有して構成されている。口金２３と外郭部材３は、取付け体２０の外面２０ｄに形成されている環状座２７により電気絶縁されている。こうして、外郭部材３は、その他端側３ｂに取付け体２０を介して口金２３を有している。
【００２８】
また、取付け体２０は、その内壁２０ｅに、一端側２０ａの底面２０ｃから他端側２０ｂの端面に亘って直線状に凹部２８が正対するように一対形成され、さらに凹部２８に隣接するガイド凸部２９が正対するように一対形成されている。凹部２８は、点灯装置４の基板３０の幅方向の両端部が圧入される幅に形成されているとともに、薄肉の取付け体２０に対して浅く形成されている。ガイド凸部２９は、基板３０を長手方向に沿わせて案内するものである。
【００２９】
点灯装置４は、発光体２のＬＥＤチップ７を点灯するものであり、取付け体２０の内部に収容されている。すなわち、外郭部材３の内側に収容されている。そして、点灯装置４は、基板３０およびこの基板３０に実装された電子部品３１などの電気部品を有して形成されている。基板３０は、ガラスエポキシ材などの合成樹脂板やアルミニウム（Ａｌ）などの金属板からなり、長方形に形成されている。金属板の場合、絶縁層が形成されて、電気部品が実装されている。そして、基板３０は、取付け体２０の一対の凹部２８，２８に圧入されるようにして挿入されて、取付け体２０の内側に取り付けられている。
【００３０】
点灯装置４は、その入力側が口金２３のシェル部２４およびアイレット部２６に図示しないリード線で接続され、その出力側が発光体２の基板６に給電線３２により接続されている。発光体２の基板６には、雌コネクタ１１が設けられ、点灯装置４の基板３０には、雌コネクタ３３が設けられている。給電線３２の両端には、それぞれ雄コネクタ３４，３５が設けられている。
【００３１】
給電線３２の雄コネクタ３５は、点灯装置４の雌コネクタ３３に装着されている。そして、雄コネクタ３４は、取付け体２０の連通孔２１、外郭部材３の取付部１２の貫通孔１５および凹部１６を挿通して、発光体２の雌コネクタ１１に装着されている。雄コネクタ３４は、雌コネクタ１１に挿入して接続される部品が用いられている。雄コネクタ３５は、点灯装置４が取付け体２０に取り付けられる前に雌コネクタ３３に装着される。そして、給電線３２および雄コネクタ３４は、発光体２を取付部１２に取り付ける前に、連通孔２１、貫通孔１５および凹部１６を挿通させている。こうして、点灯装置４は、口金２３と発光体２のＬＥＤチップ７に接続されている。そして、口金２３を介して給電されて動作し、ＬＥＤチップ７に所定の定電流を供給してＬＥＤチップ７を点灯（発光）するように形成されている。
【００３２】
包囲体５は、透光性を有する樹脂材料からなっている。ここでは、例えばポリカーボネート（ＰＣ）樹脂により、一端側５ａが閉塞され他端側５ｂが開口されるとともに発光体２を覆うように略球面状に成型されている。そして、包囲体５は、発光体２を覆うように、その開口の周縁の端面５ｃが外郭部材３の上面３ｃに位置し、他端側５ｂの内面５ｄが取付部１２の環状壁１３に密接または密着して取り付けられている。ここで、包囲体５の端面５ｃおよび内面５ｄがそれぞれ外郭部材３の上面３ｃおよび環状壁１３に接着材で固着されて取り付けられてもよく、包囲体５の内面５ｄおよび環状壁１３にそれぞれネジ部および被ネジ部を形成して、ネジ部および被ネジ部を螺合させることにより取り付けるようにしてもよい。
【００３３】
外郭部材３は、その環状壁１３の外側であって、放熱フィン１７，１７の間が切り欠きの構造に形成されているので、包囲体５は、図２または図３に示すように、その開口の周縁の端面５ｃが放熱フィン１７，１７の間に露出するように外郭部材３の一端側３ａに取り付けられている。
【００３４】
図４において、包囲体５は、発光体２から放射された放射光が内面５ｄから入射される。放射光は、包囲体５を透過して外面５ｅから外方に出射される。そして、包囲体５の他端側５ｂに入射した放射光の一部は、外面５ｅおよび内面５ｄで反射を繰り返して端面５ｃ側に導光され、端面５ｃから出射される。端面５ｃから出射された放射光は、外郭部材３の外面３ｄ（口金２３）側に照射される。すなわち、包囲体５は、その内部で導光される発光体２の放射光が端面５ｃから外郭部材３の外面３ｄ側に照射されるように、その他端側５ｂが外郭部材３の一端側３ａに取り付けられるものである。
【００３５】
次に、本発明の実施例１の作用について述べる。
【００３６】
発光装置１は、照明器具の電球用ソケットに装着される。そして、口金２３に外部電源が給電すると、点灯装置４が動作し、点灯装置４から発光体２の複数個のＬＥＤチップ７に所定の定電流（電力）が供給される。複数個のＬＥＤチップ７は、点灯し、発光体２から白色光が放射される。
【００３７】
発光体２から放射された白色光は、包囲体５の内面５ｄから包囲体５内に入射し、包囲体５内を透過して外面５ｅから外部空間に放射される。これにより、包囲体５の前方側および側方側に発光体２の放射光が照射される。
【００３８】
そして、包囲体５内に入射した白色光の一部は、包囲体５の外面５ｅおよび内面５ｄで反射を繰り返し、開口の周縁の端面５ｃ側に導光される。そして、端面５ｃに到達した白色光は、端面５ｃから外方に放射される。ここで、包囲体５の他端側５ｂに入射した白色光は、端面５ｃに近いので、端面５ｃ側に導光されやすく、端面５ｃから放射されやすい。
【００３９】
包囲体５の端面５ｃから放射された白色光は、包囲体５内を導光するものであり、その光量が非常に少ないものであるが、外角部材３の外面３ｄ側や口金２３側を照射する。これにより、発光装置１は、その前方側や側方側に白色光を照射することに加えて、その後方側にも白色光を照射することが可能となる。
【００４０】
そして、包囲体５の端面５ｃから放射される白色光の光量を多くするには、例えば包囲体５の厚さを大きくすればよい。しかし、包囲体５の厚さを大きくするほど、包囲体５内での光損失が大きくなるので、この場合、前方側や側方側に放射される光量と、後方側に放射される光量を適宜調整して、包囲体５の厚さを設定すればよい。
【００４１】
上述したように、本実施形態によれば、透光性を有し、発光体２を覆うとともに他端側５ｂの開口の周縁の端面５ｃから導光される発光体２の放射光を外郭部材３の外面３ｄ側や口金２３側に出射する包囲体５を具備しているので、棒状の導光体などを用いることなく、発光体２を覆う包囲体５で発光体２の放射光を口金２３側に照射することができ、発光装置１の小形化や低コスト化を図ることができるという効果を有する。
【００４２】
また、外殻部材３は、その外面３ｄに一端側３ａから他端側３ｂの方向に沿うとともにその周方向に略等間隔で放射状に突出形成された複数個の放熱フィン１７を有し、包囲体５は、他端側５ｂの開口の周縁の端面５ｃが放熱フィン１７，１７の間に露出するように外郭部材３の一端側３ａに取り付けられているので、外郭部材３および包囲体５の外観を損なうことなく、包囲体５の端面５ｃから口金２３側に効率的に発光体２の放射光を照射することができるという効果を有する。
【００４３】
なお、包囲体５は、取付部１２の環状壁１３の外面側に設けたが、環状壁１３の内面側に設けてもよい。そして、取付部１２の底面１２ａに孔を設けて、包囲体５の端面５ｃが放熱フィン１７，１７の間の空間に露出するようにしてもよい。ここで、包囲体５の端面５ｃを外気に露出させず、端面５ｃと外気との間に透光性の部材や樹脂などを介在させてもよい。すなわち、外郭部材３は、包囲体５の端面５ｃから口金２３側の外部空間に発光体２の放射光を出射可能な構造に形成されていればよい。
【００４４】
また、包囲体５は、その外面５ｅが球面状でなくてもよく、一端側５ａが閉塞され他端側５ｂが開口されていればその形状が限定されるものでなく、例えば椀状や正方形の箱状であってもよい。
【００４５】
また、包囲体５は、透光性のガラスで形成されてもよい。この場合でも、発光体２の放射光の一部が外面５ｅおよび内面５ｄで反射を繰り返して、端面５ｃから出射される。
【００４６】
そして、発光体２は、半導体発光素子としてＬＥＤチップ７を用いたが、これに限らずＬＥＤパッケージを用いて形成してもよい。また、半導体発光素子として、有機エレクトロルミネセンス（ＥＬ）素子を用いてもよい。
【００４７】
また、外郭部材３の他端側３ｂに取り付けられる口金は、Ｅ形口金に限らず、ＧＸ５３形やＧ２３等であってもよい。
【実施例２】
【００４８】
図６は、本発明の実施例２を示す照明器具の一部切り欠き概略正面図である。なお、図１と同一部分には、同一符号を付して説明は省略する。
【００４９】
図６に示す照明器具３６は、図１に示す発光装置（ＬＥＤ電球）１を使用するダウンライトであり、天井３７に埋設されている。そして、外形が有底の略円筒状に形成された器具本体３８にソケットとしての電球用ソケット３９が配設されている。器具本体３８は、器具本体３８と一体的に設けられているカバー体４０と板バネ４１，４１により、天井３７に挟持されて、天井３７に固定されている。そして、電球用ソケット３９に、発光装置１が取り付けられている。
【００５０】
電球用ソケット３９が通電されると、発光装置１の点灯装置４（図示しない。）が動作し、発光体２（図示しない。）の各ＬＥＤチップ７（図示しない。）に所定の定電流が供給される。これにより、複数個のＬＥＤチップ７が点灯し、包囲体５から白色光が放射される。そして、包囲体５の外面５ｅから放射された白色光は、主としてカバー体４０の開口４２の中央部から床面側に出射される。また、包囲体５の端面５ｃから放射された白色光は、器具本体３８の奥部側の内面３８ａで反射されて、カバー体４０の開口４２の周縁側から床面側に出射される。
【００５１】
本実施形態によれば、カバー体４０の開口４２の周縁側からも弱いながらも白色光が出射され、照明器具３８を比較的離れた場所から視認したときに開口４２全体が光っているように見えるので、人に不快感や違和感などを与えることを抑制できるという効果を有する。また、照明器具３６は、発光装置１が小形に、かつ安価に形成されるので、小形に形成可能であるとともに安価に形成可能であるという効果を有する。
【実施例３】
【００５２】
図７は、本発明の実施例３を示す照明器具の一部切り欠き概略正面図である。なお、図１および図６と同一部分には、同一符号を付して説明は省略する。
【００５３】
図７に示す照明器具４３は、天井３７に吊り下げられる吊下げ形照明器具であり、外形が有底の円筒状である器具本体４４に発光装置１の口金２３（図示しない。）が取り付けられるソケットとしての電球用ソケット４５が配設されている。器具本体４４は、先端に引掛シーリングキャップ４６を有する電源コード４７を接続している。
【００５４】
そして、引掛シーリングキャップ４６は、天井３７に配設されている引掛シーリングボディ４８に取り付けられている。これにより、電源コード４７等を介して電球用ソケット４５に外部電源が供給される。引掛シーリングキャップ４６および引掛シーリングボディ４８は、シーリングカバー４９により覆われている。そして、発光装置１は、電球用ソケット４５に装着されている。
【００５５】
発光装置１は、図示しない壁スイッチのオンオフ操作に応じて点灯される。そして、包囲体５の外面５ｅから放射された白色光が床面側を照明し、包囲体５の端面５ｃから放射された白色光が器具本体４４側を照明する。
【００５６】
本実施形態によれば、包囲体５の端面５ｃから弱いながらも白色光が出射されて、外郭部材３が照明されるので、照明器具４３を比較的離れた場所から視認したときに発光装置１全体が光っているように見えて、人に不快感や違和感などを与えることを抑制できるという効果を有する。また、照明器具４３は、発光装置１が小形に、かつ安価に形成されるので、小形に形成可能であるとともに安価に形成可能であるという効果を有する。
【００５７】
なお、本実施形態の照明器具は、吊り下げ形に限らず、直付け形の照明器具であってもよい。
【符号の説明】
【００５８】
１…発光装置としてのＬＥＤ電球、  ２…発光体、  ３…外郭部材、  ４…点灯装置、  ５…包囲体、  ６…基板、  ７…半導体発光素子としてのＬＥＤチップ、  １７…凸部としての放熱フィン、  ２３…口金、  ３６，４３…照明器具、  ３８，４４…器具本体、  ３９，４５…ソケットとしての電球用ソケット
【図１】
2012114018.tif 000003
【図２】
2012114018.tif 000004
【図３】
2012114018.tif 000005
【図４】
2012114018.tif 000006
【図５】
2012114018.tif 000007
【図６】
2012114018.tif 000008
【図７】
2012114018.tif 000009